(57)【要約】【課題】本発明は、クラブヘッドが重くなるのを抑えることができると共にゴルフクラブのライ角度、フェイス角度をプレイヤーの体形や好みに応じて容易に変えることができる角度調節可能ゴルフクラブを提供する。【解決手段】角度調節可能ゴルフクラブ１０のクラブヘッド１２の空洞部１８にはシャフト角度調節ケース２０が挿入固定されている。このシャフト角度調節ケース２０にはクラブシャフト１４の先端部１４Ａが収容されている。このシャフト角度調節ケース２０は先端部になるのに従い大径に形成されている。シャフト角度調節ケース２０には接着剤２６が充填されると共にゴム製の移動阻止体２８が収容されている。この移動阻止体２８にはライ角度調節片２８Ａとフェイス角度調節片２８Ｂが形成されている。【選択図】　　図１
2004024293.tif 000002
【特許請求の範囲】
【請求項１】
クラブヘッド内部に配設されると共にクラブシャフトの先端部が収容される筒状のシャフト角度調節ケースと、このシャフト角度調節ケースに収容されると共にクラブシャフトの先端部が当接することによりクラブシャフトが自由に動くのを阻止する移動阻止体と、前記クラブヘッド及び前記シャフト角度調節ケースに貫通形成されたライ角度調節ネジ孔と、このライ角度調節ネジ孔に進退可能に螺入されると共に前記クラブシャフトの先端部に当接してクラブシャフトを傾斜させるライ角度調節ネジと、前記クラブヘッド及び前記シャフト角度調節ケースに貫通形成されたフェイス角度調節ネジ孔と、このフェイス角度調節ネジ孔に進退可能に螺入されると共に前記クラブシャフトの先端部に当接してクラブシャフトを傾斜させるフェイス角度調節ネジと、前記シャフト角度調節ケースに充填されて傾斜角度を調節されたクラブシャフトを固定する接着剤と、を有してなることを特徴とする角度調節可能ゴルフクラブ。
【請求項２】
クラブヘッド内部に配設されると共にクラブシャフトの先端部が収容される筒状のシャフト角度調節ケースと、このシャフト角度調節ケースに収容されると共にクラブシャフトの先端部が当接することによりクラブシャフトが自由に動くのを阻止する移動阻止体と、前記クラブヘッド及び前記シャフト角度調節ケースに貫通形成されると共にクラブヘッドのフェイス面と平行に形成されたライ角度調節ネジ孔と、このライ角度調節ネジ孔に進退可能に螺入されると共に前記クラブシャフトの先端部に当接してクラブシャフトを傾斜させるライ角度調節ネジと、前記クラブヘッド及び前記シャフト角度調節ケースに貫通形成されると共にクラブヘッドのフェイス面と傾斜して形成されたフェイス角度調節ネジ孔と、このフェイス角度調節ネジ孔に進退可能に螺入されると共に前記クラブシャフトの先端部に当接してクラブシャフトを傾斜させるフェイス角度調節ネジと、前記シャフト角度調節ケースに充填されて傾斜角度を調節されたクラブシャフトを固定する接着剤と、を有してなることを特徴とする角度調節可能ゴルフクラブ。
【請求項３】
前記移動阻止体を弾性体で形成したことを特徴とする請求項１、請求項２記載の角度調節可能ゴルフクラブ。
【請求項４】
前記クラブヘッドのソール部にロフト角度を調節するロフト角度調節プレート体を固定したことを特徴とする請求項１、請求項２、請求項３記載の角度調節可能ゴルフクラブ。
【発明の詳細な説明】
【０００１】
【発明の属する技術分野】
本発明は、プレイヤーの体形や好みに応じてライ角度やフェイス角度を容易に変えることができると共にクラブヘッドの重量を抑えることができる角度調節可能ゴルフクラブに関する。
【０００２】
【従来の技術】
図９に示されるように、通常、ゴルフクラブ１のライ角度Ａ（クラブシャフト２とクラブヘッド３との傾斜角度）は５５°前後に設定されている。
このゴルフクラブ１はクラブヘッド３のクラウンプレート３Ａに突設されたシャフトガイドパイプ部４にクラブシャフト２の先端部２Ａをただ単に挿入し、この状態でクラブシャフト２の先端部２Ａを接着剤でシャフトガイドパイプ４に固定することによりクラブシャフト２をクラブヘッド３に固定している。
ところで、アドレス状態でのプレイヤーのグリップ位置はプレイヤーの身長等の体形によって大きく左右され、アドレスを安定させるために前記ライ角度Ａを変えたい場合があるが、上述した従来のゴルフクラブ１の構造においてはライ角度Ａを変更するのは極めて困難である。
そこで、本出願人はライ角度Ａを容易に変更することができるライ角度調節可能なゴルフクラブを開発し、特許を取得した（特許第３２９４５６８号）。
しかし、このライ角度調節可能なゴルフクラブはクラブヘッド内にクラブシャフトを一定の角度に保持する機構を備えてなるものであるため、部品点数が増加すると共にクラブヘッドの重量が増大してしまうという不具合がある。
【０００３】
【発明が解決しようとする課題】
本発明は、上記不具合を解消すべく発明されたものであり、クラブヘッドが重くなるのを抑えることができると共にゴルフクラブのライ角度、フェイス角度をプレイヤーの体形や好みに応じて容易に変えることができる角度調節可能ゴルフクラブを提供するものである。
【０００４】
【課題を解決するための手段】
請求項１の発明は、クラブヘッド内部に配設されると共にクラブシャフトの先端部が収容される筒状のシャフト角度調節ケースと、このシャフト角度調節ケースに収容されると共にクラブシャフトの先端部が当接することによりクラブシャフトが自由に動くのを阻止する移動阻止体と、前記クラブヘッド及び前記シャフト角度調節ケースに貫通形成されたライ角度調節ネジ孔と、このライ角度調節ネジ孔に進退可能に螺入されると共に前記クラブシャフトの先端部に当接してクラブシャフトを傾斜させるライ角度調節ネジと、前記クラブヘッド及び前記シャフト角度調節ケースに貫通形成されたフェイス角度調節ネジ孔と、このフェイス角度調節ネジ孔に進退可能に螺入されると共に前記クラブシャフトの先端部に当接してクラブシャフトを傾斜させるフェイス角度調節ネジと、前記シャフト角度調節ケースに充填されて傾斜角度を調節されたクラブシャフトを固定する接着剤と、を有してなることを特徴としている。
請求項２の発明は、クラブヘッド内部に配設されると共にクラブシャフトの先端部が収容される筒状のシャフト角度調節ケースと、このシャフト角度調節ケースに収容されると共にクラブシャフトの先端部が当接することによりクラブシャフトが自由に動くのを阻止する移動阻止体と、前記クラブヘッド及び前記シャフト角度調節ケースに貫通形成されると共にクラブヘッドのフェイス面と平行に形成されたライ角度調節ネジ孔と、このライ角度調節ネジ孔に進退可能に螺入されると共に前記クラブシャフトの先端部に当接してクラブシャフトを傾斜させるライ角度調節ネジと、前記クラブヘッド及び前記シャフト角度調節ケースに貫通形成されると共にクラブヘッドのフェイス面と傾斜して形成されたフェイス角度調節ネジ孔と、このフェイス角度調節ネジ孔に進退可能に螺入されると共に前記クラブシャフトの先端部に当接してクラブシャフトを傾斜させるフェイス角度調節ネジと、前記シャフト角度調節ケースに充填されて傾斜角度を調節されたクラブシャフトを固定する接着剤と、を有してなることを特徴としている。
請求項３の発明は、前記移動阻止体を弾性体で形成したことを特徴としている。
請求項４の発明は、前記クラブヘッドのソール部にロフト角度を調節するロフト角度調節プレート体を固定したことを特徴としている。
【０００５】
【発明の実施の形態】
図１〜図７には本発明に係る角度調節可能ゴルフクラブの第１実施例が示されている。なお、実施例ではドライバー用のゴルフクラブを用いて本発明の角度調節可能ゴルフクラブを説明する。
図７に示されるように、実施例の角度調節可能ゴルフクラブ１０は通常のゴルフクラブと同様クラブヘッド１２とクラブシャフト１４を備え、クラブシャフト１４の基端部にはグリップ部１６が設けられている。
図１に示されるように、前記クラブヘッド１２はチタン等の適宜金属材料で形成され、クラウンプレート１２Ａ，ソール部１２Ｂ，フェイス面１２Ｃを有し、クラブヘッド１２内部には空洞部１８が形成されている。
前記クラウンプレート１２Ａにはシャフトガイドパイプ部１９が一体的に突出形成されている。このシャフトガイドパイプ部１９から空洞部１８にかけてクラブシャフト１４の先端部１４Ａが収容されるシャフト角度調節ケース２０が挿入固定されている。
図１及び図５に示されるように、このシャフト角度調節ケース２０は先端部になるのに従い大径に形成されている。従って、クラブシャフト１４の先端部１４Ａはある程度シャフト角度調節ケース２０の内部でフリーとなり、クラブシャフト１４の傾斜角度を変えることができるようになっている。
図１に示されるように、シャフト角度調節ケース２０の底部には孔２２が貫通形成され、栓２４で閉じられている。従って、クラブシャフト１４を固定する場合に使用する接着剤２６をシャフト角度調節ケース２０に充填しても接着剤２６は漏れないようになっている。
前記シャフト角度調節ケース２０には弾性体としてのゴムで形成された移動阻止体２８が収容されている。
図５に示されるように、この移動阻止体２８にはライ角度調節片２８Ａとフェイス角度調節片２８Ｂが形成されている。従って、前記クラブシャフト１４の先端部１４Ａの側面が移動阻止体２８のライ角度調節片２８Ａに当接することによりクラブシャフト１４のライ角度Ａ（図７参照）を調節する時にクラブシャフト１４がシャフト角度調節ケース２０内で勝手に動いてしまうことを阻止している。また、前記クラブシャフト１４の先端部１４Ａの側面が移動阻止体２８のフェイス角度調節片２８Ｂに当接することによりクラブシャフト１４のフェイス角度Ｂ（図４参照）を調節する時にクラブシャフト１４がシャフト角度調節ケース２０内で勝手に動いてしまうことを阻止している
図３に示されるように、前記クラブヘッド１２の側面と前記シャフト収容ケース２０にはライ角度調節ネジ孔３０とフェイス角度調節ネジ孔３２が形成されている。
このライ角度調節ネジ孔３０は前記クラブヘッド１２のフェイス面１２Ｃと平行（図３の紙面直交方向）に形成されている。これに対して、フェイス角度調節ネジ孔３２は前記クラブヘッド１２のフェイス面１２Ｃに対して傾斜（図３右側に向かって傾斜）して形成されている。
図１及び図３に示されるように、前記ライ角度調節ネジ孔３０にはライ角度調節ネジ３４が進退可能に螺入され、前記フェイス角度調節ネジ孔３２にはフェイス角度調節ネジ３６が進退可能に螺入されている。前記ライ角度調節ネジ３４及びフェイス角度調節ネジ３６はクラブヘッド１２の外側から六角レンチで進退させることができるようになっている。
従って、前記ライ角度調節ネジ３４を進入させると、ライ角度調節ネジ３４の先端面が前記クラブシャフト１４の先端部１４Ａを押し付けるためライ角度Ａが小さくなるようにクラブシャフト１４は傾斜し、前記ライ角度調節ネジ３４を後退させると、ライ角度調節ネジ３４の先端面が後退するのでライ角度Ａが大きくなるようにクラブシャフト１４は傾斜する。
また、前記フェイス角度調節ネジ３６を進入させると、フェイス角度調節ネジ３６の先端面が前記クラブシャフト１４の先端部１４Ａを押し付けるためフェイス角度Ｂが小さくなるようにクラブシャフト１４は傾斜し、前記フェイス角度調節ネジ３６を後退させると、フェイス角度調節ネジ３６の先端面が後退するのでフェイス角度Ｂが大きくなるようにクラブシャフト１４は傾斜する。
【０００６】
次に、第１実施例の角度調節可能ゴルフクラブ１０の作用について説明する。
角度調節可能ゴルフクラブ１０のクラブシャフト１４のライ角度Ａをプレイヤーに合わせて調節する場合は、まずプレイヤーがグリップ部１６を握ってグリップ位置と地面との距離を測ると共にクラブシャフト１４の長さを決める。
そして、最も最適なグリップ位置に対応するライ角度Ａをアドバイザーにアドバイスして貰って、プレイヤーにとって最適なライ角度Ａを決定する。また、アドバイザーにアドバイスして貰って、プレイヤーにとって最適なフェイス角度Ｂを決定する。
なお、前記シャフト角度調節ケース２０内には移動阻止体２８を収容しておくと共に接着剤２６を予め充填しておく。
そして、ライ角度Ａを小さくしたい場合はライ角度調節ネジ孔３０に螺入されているライ角度調節ネジ３４を六角レンチを用いてシャフト角度調節ケース２０内に深く進入させてクラブシャフト１４を傾斜させる。この場合、ライ角度調節ネジ３４の反対側にはゴム製の移動阻止体２８のライ角度調節片２８Ａがクラブシャフト１４の先端部１４Ａに当接状態で位置しているので、ライ角度調節ネジ３４の先端面がクラブシャフト１４の先端部１４Ａに当たってクラブシャフト１４が傾斜してもクラブシャフト１４がシャフト角度調節ケース２０内で勝手に動いてしまうのを阻止することができる。従って、前記ライ角度調節ネジ３４と移動阻止体２８とによってライ角度Ａを調節することができる。
また、ライ角度Ａを大きくしたい場合はライ角度調節ネジ孔３０に螺入されているライ角度調節ネジ３４を六角レンチを用いて後退させてクラブシャフト１４を傾斜させる。この場合、ライ角度調節ネジ３４の反対側にはゴム製の移動阻止体２８のライ角度調節片２８Ａがクラブシャフト１４の先端部１４Ａに当接状態で位置しているので、移動阻止体２８は常時クラブシャフト１４の先端部１４Ａに当接することによりクラブシャフト１４がシャフト角度調節ケース２０内で勝手に動いてしまうのを阻止することができる。
従って、前記ライ角度調節ネジ３４と移動阻止体２８とによってライ角度Ａを小さくしたり大きくしたりして調節することができる。
前記フェイス角度Ｂを小さくしたい場合はフェイス角度調節ネジ孔３２に螺入るされているフェイス角度調節ネジ３６を六角レンチを用いてシャフト収容ケース２０内に深く進入させてクラブシャフト１４を傾斜させる。この場合、フェイス角度調節ネジ３６の反対側には移動阻止体２８のフェイス角度調節片２８Ｂがクラブシャフト１４の先端部１４Ａに当接状態で位置しているので、フェイス角度調節ネジ３６の先端面がクラブシャフト１４の先端部１４Ａに当たってもクラブシャフト１４は移動阻止体２８によりシャフト角度調節ケース２０内で勝手に動いてしまうのを阻止される。
また、フェイス角度Ｂを大きくしたい場合はフェイス角度調節ネジ孔３２に螺入されているフェイス角度調節ネジ３６を六角レンチを用いて後退させてクラブシャフト１４を傾斜させる。この場合、フェイス角度調節ネジ３６の反対側にはゴム製の移動阻止体２８のフェイス角度調節片２８Ｂがクラブシャフト１４の先端部１４Ａに当接状態で位置しているので、移動阻止体２８は常時クラブシャフト１４の先端部１４Ａに当接することによりクラブシャフト１４がシャフト角度調節ケース２０内で勝手に動いてしまうのを阻止することができる。
従って、前記フェイス角度調節ネジ３６と移動阻止体２８とによってフェイス角度Ｂを小さくしたり大きくしたりして調節することができる。
上記手順によりライ角度Ａとフェイス角度Ｂの調節が終了したら前記シャフト角度調節ケース２０内の接着剤２６が固まるまで、前記角度調節可能ゴルフクラブ１０をそのままの状態に適宜手段で固定して数時間放置する。
この結果、ライ角度Ａとフェイス角度Ｂがプレイヤーにとって最適な角度調節可能ゴルフクラブ１０をプレイヤー毎に提供することができる。
従って、本発明の角度調節可能ゴルフクラブ１０においてはライ角度調節ネジ３４の進退を調節するだけの簡単な操作でライ角度Ａを調節することができると共にフェイス角度調節ネジ３６の進退を調節するだけの簡単な操作でフェイス角度Ｂを調節することができる。
また、本発明の角度調節可能ゴルフクラブ１０はクラブヘッド１２にシャフト角度調節ケース２０とライ角度調節ネジ３４とフェイス角度調節ネジ３６を設けるだけのシンプルな構造でよいので、クラブヘッド１２の重量が重くなるのを抑えることができる。
なお、本発明の角度調節可能ゴルフクラブ１０を使用していてライ角度Ａやフェイス角度Ｂを変更したくなった場合は前記接着剤２６を溶かしてクラブシャフト１４をフリー状態にして、上述した手順を行うことによりクラブシャフト１４のライ角度Ａやフェイス角度Ｂを調節するこができるので、新しいゴルフクラブを購入する必要がないので極めて経済的である。
【０００７】
図８には第２実施例の角度調節可能ゴルフクラブ４０が示されている。なお、第１実施例の角度調節可能ゴルフクラブ１０と同一の構成は同一の符号を用いてその説明は省略する。
図８に示されるように前記角度調節可能ゴルフクラブ４０のクラブヘッド１２のソール部１２Ｂのフェイス面１２Ｃ側には金属製のロフト角度調節プレート体４２が適宜固定手段によって固定されている。
従って、クラブヘッド１２のソール部１２Ｂのフェイス面１２Ｃ側にロフト角度調節プレート体４２を固定することにより、クラブヘッド１２のフェイス面１２Ｃ側が高くなることにより、クラブヘッド１２のロフト角度Ｃを大きくすることができる。
このため、前記ロフト角度調節プレート体４２の厚みを厚くすればロフト角度Ｃは大きくなり、前記ロフト角度調節プレート体４２の厚みを薄くすればロフト角度Ｃは小さくなる。このため、前記ロフト角度調節プレート体４２の厚みを調節することによりロフト角度Ｃの調節を容易に行うことができる。
なお、他の構成、作用、効果は第１実施例の角度調節可能ゴルフクラブ１０と同一であるので、その説明は省略する。
【０００８】
なお、実施例では移動阻止体２８の形状を図５に示されるようなライ角度調節片２８Ａとフェイス角度調節片２８Ｂを形成した形状にしたが、クラブシャフト１４が勝手に動くのを阻止することができるのであれば前記移動阻止体２８の形状はこれに限定されるものでないことは勿論である。
また、実施例では移動阻止体２８を弾性体であるゴムで形成したが、弾性体はゴムに限定されるものではなく、弾性合成樹脂材等でもよいことは勿論である。
なお、実施例ではドライバー用のゴルフクラブを用いて本発明の角度調節可能ゴルフクラブ１０，４０を説明したが、本発明の角度調節可能ゴルフクラブ１０，４０を適用できるゴルフクラブはドライバー用のゴルフクラブに限定されるものでなく、フェアウェイ用のゴルフクラブ等でもよいことは勿論である。
また、実施例では六角レンチで進退させるライ角度調節ネジ３４とフェイス角度調節ネジ３６を用いたが、ドライバー等他の工具で進退させるライ角度調節ネジ３４とフェイス角度調節ネジ３６でもよいことは勿論である。
【０００９】
【発明の効果】
本発明に係る角度調節可能ゴルフクラブは、プレイヤーの体形や好みに応じて容易にライ角度やフェイス角度を調節することができると共にクラブヘッドの重量が増加するのを抑えることができるという優れた効果を有する。
また、本発明に係る角度調節可能ゴルフクラブは、クラブシャフトのライ角度やフェイス角度を容易に調節することができるので、新しいゴルフクラブを購入する必要がなく経済的であるという優れた効果を有する。
請求項４の角度調節可能ゴルフクラブは、前記優れた効果の他にクラブヘッドのロフト角度を調節できるという優れた効果を有する。
【図面の簡単な説明】
【図１】第１実施例の角度調節可能ゴルフクラブのクラブヘッドの一部切欠縦断面図である。
【図２】第１実施例の角度調節可能ゴルフクラブのクラブヘッドの一部切欠き平面図である。
【図３】第１実施例の角度調節可能ゴルフクラブのクラブヘッドの側面図である。
【図４】第１実施例の角度調節可能ゴルフクラブのクラブヘッドの平面図である。
【図５】第１実施例の角度調節可能ゴルフクラブに使用されるシャフト角度調節ケースの斜視図である。
【図６】第１実施例の角度調節可能ゴルフクラブに使用される移動阻止体を収容したシャフト角度調節ケースの平面図である。
【図７】第１実施例の角度調節可能ゴルフクラブの正面図である。
【図８】第２実施例の角度調節可能ゴルフクラブのクラブヘッドの側面図である。
【図９】従来のゴルフクラブの一部切欠正面図である。
【符号の説明】
１０　　角度調節可能ゴルフクラブ
１２　　クラブヘッド
１４　　クラブシャフト
１８　　空洞部
２０　　シャフト角度調節ケース
２６　　接着剤
２８　　移動阻止体
３０　　ライ角度調節ネジ孔
３２　　フェイス角度調節ネジ孔
３４　　ライ角度調節ネジ
３６　　フェイス角度調節ネジ
【図１】
2004024293.tif 000003
【図２】
2004024293.tif 000004
【図３】
2004024293.tif 000005
【図４】
2004024293.tif 000006
【図５】
2004024293.tif 000007
【図６】
2004024293.tif 000008
【図７】
2004024293.tif 000009
【図８】
2004024293.tif 000010
【図９】
2004024293.tif 000011